(57)【要約】【課題】簡単な構成により表示デバイスに付着した埃を使用者が容易に取り除くことができる投写型映像表示装置を提供することを課題とする。【解決手段】本体ケース４０内に収納された光源１から出射された光を表示デバイス３１，３２，３３を介して本体ケース４０外へ映像を投写する投写型映像表示装置において、表示デバイス３１，３２，３３を冷却する冷却ファンと、冷却ファンの駆動により発生した風を表示デバイス３１，３２，３３まで案内する空気流路５０とを備え、少なくとも前記表示デバイス３１，３２，３３に対応する位置の本体ケースに、表示デバイス３１，３２，３３と外気とを連通させる開口孔６０を形成する。【選択図】    図３
2006030827.tif 000002
【特許請求の範囲】
【請求項１】
本体ケース内に収納された光源から出射された光を表示デバイスを介して本体ケース外へ映像を投写する投写型映像表示装置において、表示デバイスを冷却する冷却ファンと、冷却ファンの駆動により発生した風を表示デバイスまで案内する空気流路とを備え、少なくとも前記表示デバイスに対応する位置の本体ケースに、表示デバイスと外気とを連通させる開口孔が形成されていることを特徴とする投写型映像表示装置。
【請求項２】
前記開口孔は、本体ケースの底面に形成されていることを特徴とする請求項１記載の投写型映像表示装置。
【請求項３】
前記開口孔は、着脱自在な閉塞部材により閉塞されていることを特徴とする請求項１または請求項２記載の投写型映像表示装置。
【発明の詳細な説明】
【技術分野】
【０００１】
本発明はプロジェクタなどの投写型映像表示装置に関する。
【背景技術】
【０００２】
この種、投写型映像表示装置としては、静圧特性に優れたシロッコファンの駆動により発生する風を、本体ケース内に収納された表示デバイスとしての液晶ライトバルブまで案内するものが知られている。液晶ライトバルブは光源からの照射光により発熱するため、シロッコファンからの冷却風を液晶ライトバルブへ送り込むことにより、効率よく液晶ライトバルブを冷却できるものである（例えば特許文献１参照）。
【特許文献１】特開平５−５３２００号公報
【発明の開示】
【発明が解決しようとする課題】
【０００３】
投写型映像表示装置の使用中には、液晶ライトバルブに絶えず冷却風が流れているため、冷却風に含まれている埃が液晶ライトバルブに付着する虞がある。液晶ライトバルブに埃が付着した場合には、投写映像が乱れる等の投写映像の品質が低下するため、液晶ライトバルブに付着した埃を取り除く必要がある。
【０００４】
しかしながら、液晶ライトバルブを収納している本体ケースは、性能保持及び安全性を考慮して使用者が本体ケースを開けることが認められていない。この結果、使用者はメンテナンス業者に訪問メンテナンスを依頼するか、投写型映像表示装置をメンテナンス業者まで送付する必要があり、液晶ライトバルブに付着した埃を取り除く作業が煩わしくなる課題があった。
【０００５】
そこで本発明は、このような課題を解決するためになされたものであり、簡単な構成により表示デバイスに付着した埃を使用者が容易に取り除くことができる投写型映像表示装置を提供することを課題とする。
【課題を解決するための手段】
【０００６】
上記課題を解決するための手段は、本体ケース内に収納された光源から出射された光を表示デバイスを介して本体ケース外へ映像を投写する投写型映像表示装置において、表示デバイスを冷却する冷却ファンと、冷却ファンの駆動により発生した風を表示デバイスまで案内する空気流路とを備え、少なくとも前記表示デバイスに対応する位置の本体ケースに、表示デバイスと外気とを連通させる開口孔が形成されていることを特徴とする。
【０００７】
上記課題を解決するための手段において、前記開口孔は、本体ケースの底面に形成してもよい。
【０００８】
また、前記開口孔は、着脱自在な閉塞部材により閉塞されてもよい。
【発明の効果】
【０００９】
本発明の請求項１の構成によれば、本体ケースを開けることなく表示デバイスに付着した埃を除去することができるため、メンテナンス業者にメンテナンスを依頼する必要がなく、使用者が容易にメンテナンスを行うことができる等の効果を奏する。
【００１０】
本発明の請求項２の構成によれば、開口孔は本体ケースの底面に形成されているため、通常使用状態では開口孔は死角になり、外観の低下を抑制することができる等の効果を奏する。
【００１１】
本発明の請求項３の構成によれば、メンテナンスを行う時以外の開口孔は、閉塞部材により閉塞されているため、開口孔から本体ケース内への埃の侵入を確実に防止することができる等の効果を奏する。
【発明を実施するための最良の形態】
【００１２】
本発明の一実施形態の投写型映像表示装置を図１乃至図５に基づいて以下に詳述する。
【００１３】
図１及び図２は本実施形態の投写型映像表示装置として３板式の液晶プロジェクタ３０を示した図である。上面に操作部２７が形成さた本体ケース４０内に光源１等の光学系が収納されている。光源１の発光部は、超高圧水銀ランプ、メタルハライドランプ、キセノンランプ等から構成されている。その照射光はパラボラリフレクタ２によって平行光となって出射され、インテグレータレンズ４へと導かれる。
【００１４】
インテグレータレンズ４は一対のレンズ群（フライアイレンズ）４ａ・４ｂから構成されており、個々のレンズ部分が光源１から出射された光を後述する液晶ライトバルブ３１，３２，３３の全面に導くようになっており、光源１において存在する部分的な輝度ムラを平均化し、画面中央と周辺部とでの光量差を低減する。インテグレータレンズ４を経た光は、偏光変換装置５、及び集光レンズ６を経た後、第１ダイクロイックミラー７に導かれる。
【００１５】
第１ダイクロイックミラー７は、赤色波長帯域の光を透過し、シアン（緑＋青）の波長帯域の光を反射する。第１ダイクロイックミラー７を透過した赤色波長帯域の光は、反射ミラー８にて反射されて光路を変更される。反射ミラー８にて反射された赤色光はレンズ９を経て赤色光用の透過型の表示デバイスとしての液晶ライトバルブ３１を透過することによって光変調される。また、第１ダイクロイックミラー７にて反射したシアンの波長帯域の光は、第２ダイクロイックミラー１０に導かれる。
【００１６】
第２ダイクロイックミラー１０は、青色波長帯域の光を透過し、緑色波長帯域の光を反射する。第２ダイクロイックミラー１０にて反射した緑色波長帯域の光は、レンズ１１を経て緑色光用の透過型の表示デバイスとしての液晶ライトバルブ３２に導かれ、これを透過することで光変調される。また、第２ダイクロイックミラー１０を透過した青色波長帯域の光は、全反射ミラー１２、全反射ミラー１３、レンズ１４を経て青色光用の透過型の表示デバイスとしての液晶ライトバルブ３３に導かれ、これを透過することで光変調される。
【００１７】
各液晶ライトバルブ３１，３２，３３は、入射側偏光板３１ａ，３２ａ，３３ａと、一対のガラス基板（画素電極や配向膜を形成してある）間に液晶を封入して成るパネル部３１ｂ，３２ｂ，３３ｂと、出射側偏光板３１ｃ，３２ｃ，３３ｃとから構成されている。
【００１８】
液晶ライトバルブ３１，３２，３３を経ることで変調された変調光（各色映像光）は、クロスダイクロイックプリズム１５によって合成されてカラー映像光となる。このカラー映像光は、投写レンズ１６によって拡大投写され、図示しないスクリーン上に表示される。
【００１９】
液晶ライトバルブ３１，３２，３３は、光源１からの照射光により発熱し性能が劣化する虞があるため、図示しない冷却ファンにより液晶ライトバルブ３１，３２，３３に冷却風を送風し液晶ライトバルブ３１，３２，３３を冷却するようになっている。具体的には、冷却ファンの駆動により発生した風を、図３に示すような空気流路５０を構成する冷却ダクト５５によって液晶ライトバルブ３２（３１，３３）に案内することにより、液晶ライトバルブ３１，３２，３３を冷却するようになっている。
【００２０】
このようにして液晶ライトバルブ３１，３２，３３には絶えず冷却風が流れているため、冷却風に含まれている埃が液晶ライトバルブ３１，３２，３３に付着する虞がある。液晶ライトバルブ３１，３２，３３に埃が付着すると投写映像が乱れる等の投写映像の品質が低下するため、液晶ライトバルブ３１，３２，３３に付着した埃を取り除く必要がある。
【００２１】
これに対して、本発明の実施形態では、図２及び図３に示すように液晶ライトバルブ３１，３２，３３に対応する位置の本体ケース４０の底面４５に、空気流路５０と外気とを連通させる開口孔６０を形成している。また、開口孔６０は着脱自在な閉塞部材７０により閉塞されている。
【００２２】
この構成により、投写映像が乱れる等の投写映像の品質低下を使用者が認識した場合には、閉塞部材７０を取り外し、例えば、図５に示すようなカメラ等を清掃するバルーン型のブロアー８０等を開口孔６０に差し込み、ブロアー８０から噴出される空気を液晶ライトバルブ３１，３２，３３に吹き付けることにより、液晶ライトバルブ３１，３２，３３に付着した埃を取り除くことができる。
【００２３】
また、この時、投写映像を全黒表示にしておけば、液晶ライトバルブ３１，３２，３３に付着した埃によって乱反射する光の漏れが目視により容易に確認することができるため、液晶ライトバルブ３１，３２，３３に付着した埃が取り除かれたことも目視により容易に確認することができる。
【００２４】
また、ブロアー８０の先端長さを調整し、噴出口を極力液晶ライトバルブ３２に近づけることによりさらに容易に埃を取り除くことができる。また、冷却ファンのによる冷却風を増大させることによっても埃の除去は容易になる。
【００２５】
また、ブロアー８０と開口孔６０との間に隙間を設け、ブロアー８０先端部を自由に位置調整できるようにすることにより、中心部だけでなく液晶ライトバルブ３１，３２，３３全域に渡って埃の除去が可能となる。
【００２６】
このようにして、本体ケース４０を開けることなく液晶ライトバルブ３１，３２，３３に付着した埃を除去することができるため、従来のようにメンテナンス業者にメンテナンスを依頼する必要がなく、使用者が容易にメンテナンスを行うことができる。また、本体ケース４０を開けてメンテナンスする必要がなく、投写型映像表示装置を通電した状態でメンテナンスを行うことができるため、投写映像を全黒表示にした状態でメンテナンスを行うことができ、メンテナンス作業を簡素化することができる。
【００２７】
また、開口孔６０は本体ケース４０の底面４５に形成されているため、通常使用状態では開口孔６０は死角になり、外観の低下を抑制することができると共に、開口孔６０を閉塞する閉塞部材７０を装着し忘れた場合でも、開口孔６０からの本体ケース４０内への埃の侵入を抑制することができる。
【００２８】
また、埃を除去するメンテナンスを行う時以外の開口孔６０は、閉塞部材７０により閉塞されているため、開口孔６０から本体ケース４０内への埃の侵入を確実に防止することができると共に、開口孔６０からの外光の侵入を防止することができる。
【００２９】
尚、本発明の実施形態では、開口孔６０を本体ケース４０の底面４５に形成したが、この構成に限定されるものではない。本体ケース４０のその他の面に開口孔６０を形成してもよい。
【００３０】
また、本発明の実施形態では、開口孔６０を液晶ライトバルブ３１，３２，３３に対応する位置にのみ形成したが、さらに、インテグレータレンズ４等に対応する位置に開口孔６０を形成してもよい。また、液晶ライトバルブ３１，３２，３３に付着した埃を除去する清掃道具としては、スプレー式のエアダスター等を使用してもよい。
【００３１】
また、本発明の実施形態のプロジェクターは、ＬＣＤ方式である３板式の液晶プロジェクタであったがこの方式のプロジェクターに限定されるものではなく、ＤＬＰ（Digital Light Processing）（テキサス・インスツルメンツ（ＴＩ）の登録商標）方式のプロジェクタに本発明の構成を用いてもよい。
【図面の簡単な説明】
【００３２】
【図１】本発明の一実施形態の投写型映像表示装置の外観斜視図である。
【図２】同投写型映像表示装置の光学系を示した構成図である。
【図３】同投写型映像表示装置の空気流路の断面図である。
【図４】同投写型映像表示装置の裏面図である。
【図５】同投写型映像表示装置の清掃道具としてのブロアーの外観図である。
【符号の説明】
【００３３】
１    光源
１６  投写レンズ
３１  液晶ライトバルブ（表示デバイス）
３２  液晶ライトバルブ（表示デバイス）
３３  液晶ライトバルブ（表示デバイス）
４０  本体ケース
５０  空気流路
６０  開口孔
７０  閉塞部材
【図１】
2006030827.tif 000003
【図２】
2006030827.tif 000004
【図３】
2006030827.tif 000005
【図４】
2006030827.tif 000006
【図５】
2006030827.tif 000007